(57)【要約】【課題】  法事や茶席などの礼儀を重んじる場所で使用される正座椅子において、長時間正座しても膝と足の甲に負担がかからず、正しい姿勢で正座でき、しかも、持ち運びにも便利な正座椅子を提供する。【解決手段】  本発明に係る正座椅子１は、座部２と、該座部２を所定の高さで支える脚部３を備え、前記座部２の表面２ｄが水平面に対して５度から１３度の範囲で前方へ傾斜している。また、前記脚部３は前記座部２の下面に折り畳み収納可能である。【選択図】      図１
2005152342.tif 000002
【特許請求の範囲】
【請求項１】
座部と、該座部を所定の高さで支える脚部を備えた正座椅子において、前記座部の表面が水平面に対して５度から１３度の範囲で前方へ傾斜していることを特徴とする、正座椅子。
【請求項２】
前記脚部は前記座部の下面に折り畳み収納可能であることを特徴とする請求項１記載の正座椅子。
【発明の詳細な説明】
【技術分野】
【０００１】
本発明は、法事や茶席などの礼儀を重んじる、長時間の正座を必要とする場所において、足への負担を軽減するために使用される正座椅子に関するものである。
【背景技術】
【０００２】
従来の正座椅子として、座部と、該座部を所定高さで支える支持脚と、を備えた正座椅子が知られており、長時間の正座を必要とする場所において、使用されている。
【０００３】
一般的には、座部の下面中央に支持脚を取り付けて構成して、両足の間に支持脚が位置するように使用する正座椅子や、座部の幅方向の両側に一対の支持脚を取り付けることにより、正座椅子の全体形状を略コの字型として、当該一対の支持脚間に折り曲げた両足を挿入して、座部に臀部を載せて使用するようにした正座椅子が知られている。該正座椅子は、家庭内だけでなく、訪問先で使用することも多いので、持ち運びに便利な携帯用の正座椅子が提案されている。（例えば、特許文献１参照。）
【０００４】
一般的な携帯用の正座椅子は、座部と、この座部を所定高さで支える一対の支持脚と、この支持脚の下端に取り付けた支持台と、を主な構成要素としている。掛止脚部と移動脚部からなる一対の前記支持脚は、Ｘ状に枢着され、一方の前記掛止脚部の下端を、前記支持台の一端に枢支するとともに、上端を前記座部の下面に設けた掛止金具に着脱自在に掛止できるようしている。また、他方の前記移動脚部は、上端を前記座部に枢支するとともに、下端を前記支持台に載置し、前記支持脚の折り畳み及び立脚動作の時に、この下端が前記支持台上を水平移動できるようになっている。
【０００５】
前記正座椅子の使用手順は、前記掛止脚部の上端を前記座部の下面の前記掛止金具に掛止して支持脚を立脚し、前記座部を前記支持台から持ち上げ、この座部を臀部の下にしいて使用する。
【特許文献１】特開平７−３０８２３８号公報
【発明の開示】
【発明が解決しようとする課題】
【０００６】
しかしながら、従来の正座椅子は、座部の表面が水平面と平行であるため、膝の折り曲げ角度が大きく、また、足の甲が反ってしまっていた。このため、膝と足の甲への負担が大きい。この膝の折り曲げ角度を小さくするために、座部の位置を高くすると、着座時の姿勢が正座姿勢に見えないという問題点がある。
【０００７】
本発明は、以上のような事情や問題点に鑑みてなされたものであり、長時間正座しても膝と足の甲に負担がかからず、正しい姿勢で正座でき、また着座時の姿勢が正座姿勢に見え、しかも、持ち運びにも便利な正座椅子を提供することを目的とする。
【課題を解決するための手段】
【０００８】
上記目的を達成するための請求項１の発明は、座部と、この座部を所定高さで支える脚部を備えた正座椅子において、前記座部の表面が水平面に対して５度から１３度の範囲で前方へ傾斜していることにある。
【０００９】
請求項２の発明は、前記脚部は前記座部の下面に折り畳み収納可能であることにある。
【発明の効果】
【００１０】
本発明によれば、座部の表面が水平面に対して前方へ傾斜しているため、膝の折り曲げ角度が小さくなり、足の甲がゆるやかになるので、膝と足の甲への負担が軽減される。
【００１１】
また、脚部が前記座部の下面に折り畳み収納可能であるので、持ち運びにも便利である。
【発明を実施するための最良の形態】
【００１２】
以下、本発明の実施形態を図面に基づいて説明する。
第１実施形態に係る正座椅子１は、図１乃至図２に示すように、座部２と、該座部２を所定高さで支える一対の脚部３と、を主な構成要素としている。
【００１３】
座部２は、座板２ａと、該座板２ａの上面に載置したクッション２ｂと、これらを被覆したカバー２ｃと、からなり、座部２の表面２ｄは平坦である。座板２ａには木板、クッション２ｂにはスポンジやウレタン、カバー２ｃには合成皮や市販の布地類などが好適である。
【００１４】
一対の脚部３は、支持台４と、該支持台４の上面で固着した２本の高低差のある支持脚５、６と、該支持脚５、６の上面で固着した取り付け板７と、を主な構成要素としている。一対の取り付け板７を座部２の幅方向の両側に不図示の釘等で固定することにより、一対の脚部３は座部２に取り付けられる。支持脚５、６は、正座椅子１を水平面に置いたとき、座部２の表面２ｄの水平面に対する角度αが５度から１３度の範囲の高低差を持つようになっている。脚部３の素材としては木材やプラスチックなどが好適である。
【００１５】
正座椅子１を水平面に置いた時、座部２の表面２ｄの傾斜下方を前方、傾斜上方を後方として用いる。そして、図３（ａ）及び（ｂ）に示すように、所望の位置で使用者Ａが正座姿勢をとった後、正座椅子１の一対の脚部３間に両足Ｂが位置するように、臀部Ｃと両足Ｂの間に正座椅子１を使用者Ａの後方から前方方向へ挿入し、臀部Ｃを座部２に載せるのみでよい。このとき、使用者Ａの前方に正座椅子１の前方が挿入されており、これにより、使用者Ａの体重は全て正座椅子１に支えられ、両足Ｂにほとんど体重がかからないので、長時間の正座が可能になる。
【００１６】
更に、この効果に加え、本発明に係る正座椅子１は、座部２の表面２ｄが水平面に対して前方へ傾斜しているので、膝Ｄの折り曲げ角度が小さく、また、足の甲Ｅがゆるやかになるので、膝Ｄと足の甲Ｅへの負担が軽減される。
【００１７】
本発明に係る正座椅子１において、座部２の表面２ｄの水平面に対する角度α、つまり座部２の表面２ｄの水平面に対する前方への傾斜角度を５度から１３度の範囲としているが、好ましくは７度から１０度、最も好ましくは８度から９度である。上記傾斜角度は、膝Ｄと足の甲Ｅへの負担を軽減できる角度であり、また、正座椅子１に着座したとき、正座姿勢に見える角度に設定しているものである。つまり、上記傾斜角度が５度未満であれば、従来の正座椅子と同等の効果しか得られず、１３度より大きければ、正座姿勢に見えず、礼儀を重んじる場所において、場を乱すことになる。
【００１８】
第２実施形態に係る正座椅子８は、図４（ａ）に示すように、座部９と、該座部９を所定高さで支える一対の脚部１０と、を主な構成要素としている。
【００１９】
脚部１０は、支持脚１１と、移動支持脚１２と、を略Ｘ字状に組み合わせ、その交点でピン１３により回転自在に連結される。このため、支持脚１１と移動支持脚１２は各々、ピン１３を中心に回転する。
【００２０】
一対の脚部１０は座部９の幅方向の両側に取り付けられるが、支持脚１１は座部９の下面の前方の取り付け部１４でピン１５により回転自在に取り付けられ、移動支持脚１２は座部９の下面の後方のスライド板１６に回転移動自在に取り付けられている。支持脚１１と移動支持脚１２は、正座椅子８を水平面に置いた時、座部９の表面９ｄの水平面に対する角度αが５度から１３度の範囲の高低差を持つようになっている。脚部１０の素材には、アルミなどの軽量合金が好適である。
【００２１】
支持脚１１と移動支持脚１２は座部９側の上端及びピン１３を中心に回転し、更に、移動支持脚１２は、スライド板１６の範囲内で移動するので、図４（ｂ）及び図４（ｃ）に示すように、移動支持脚１２を座部９の外側方向にスライドさせ、支持脚１１を上方向に引っ張ると、脚部１０は座部９の下面に収納できる。また、反対に立脚する時は、脚部１０を座部９の下面方向に引っ張りだすのみである。使用法は第１実施形態と同様であるので、説明を省略する。
【００２２】
第３実施形態に係る正座椅子１７は、図５（ａ）に示すように、座部１８と、該座部１８を所定高さで支える一対の脚部１９と、を主な構成要素としている。
【００２３】
一対の脚部１９は、２本の高低差のある支持脚２０、２１からなり、座部１８の幅方向の両側に取り付けられるが、支持脚２０は座部１８の下面の前方の取り付け部２２で、ピン２３により回転自在に取り付けられ、支持脚２１は座部１８の下面の後方の取り付け部２４で、不図示のピンにより回転自在に取り付けられる。支持脚２０、２１は、正座椅子１７を水平面に置いた時、座部１８の表面１８ｄの水平面に対する角度αが５度から１３度の範囲の高低差を持つようになっている。脚部１９の素材には木材やプラスチックなどが好適である。
【００２４】
脚部１９の収納手順は、図５（ａ）乃至図５（ｃ）に示すように、脚部１９を座部１８の内側に折り曲げるのみでよい。また、反対に立脚する時は、脚部１９を座部１８の外側に引き出すのみでよい。使用法及び作用効果については、第１実施形態と同様であるので、説明を省略する。
【産業上の利用可能性】
【００２５】
法事や茶会などの礼儀を重んじる長時間の正座が必要な場所において、使用することが可能である。
【図面の簡単な説明】
【００２６】
【図１】第１実施形態に係る正座椅子の概略全体構成を示す斜視図。
【図２】上記正座椅子の概略全体構成を示す側面図。
【図３】上記正座椅子の使用手順を示す側面図。
【図４】第２実施形態に係る正座椅子の概略全体構成を示す斜視図。
【図５】第３実施形態に係る正座椅子の概略全体構成を示す斜視図。
【符号の説明】
【００２７】
１、８、１７        正座椅子
２、９、１７        座部
２ｄ、９ｄ、１７ｄ  座部表面
３、１０、１９      脚部
α                  座部の表面と水平面のなす角度
【図１】
2005152342.tif 000003
【図２】
2005152342.tif 000004
【図３】
2005152342.tif 000005
【図４】
2005152342.tif 000006
【図５】
2005152342.tif 000007